(57)【要約】【課題】従来の弾球遊技機では、揚送される遊技球を自重により揚送手段に供給しているので、揚送手段に供給される遊技球の後続球の球圧によって球噛みに起因する球詰まりや、異物が混入することによる球詰まりが生じるという課題があった。【解決手段】発射装置が１個の遊技球を発射するたびに、整列通路４１６上の遊技球のうち１個の遊技球を後続球と分離した状態で揚送ユニットに供給する球供給スプロケット４１３を備え、送球供給スプロケット４１３により揚送ユニットに供給される遊技球が該揚送ユニットに向けて移動する移動通路４１４の上面、側面、または下面の少なくとも一つの面に遊技球の直径よりも幅が狭い開口部（６０１ａ、６０１ｂ、６０１ｃ）を形成したものである。【選択図】        図６
2004298410.tif 000002
【特許請求の範囲】
【請求項１】
遊技に使用する遊技球を貯留する打球貯留部と、
該打球貯留部よりも上方に設けられ、遊技球を遊技盤の遊技領域内に発射するための発射装置と、
前記打球貯留部の遊技球を整列する整列通路と、
該整列通路上の遊技球を前記発射装置に揚送する揚送手段とを備えた弾球遊技機であって、
前記発射装置が１個の遊技球を発射するたびに、前記整列通路上の遊技球のうち１個の遊技球を後続球と分離した状態で前記揚送手段に供給する揚送球供給手段を備え、
前記揚送球供給手段により前記揚送手段に供給される遊技球が該揚送手段に向けて移動する移動通路の上面、側面、または下面の少なくとも一つの面に遊技球の直径よりも幅が狭い開口部を形成したことを特徴とする弾球遊技機。
【請求項２】
前記揚送手段は遊技球を揚送する揚送通路を含み、
該揚送通路の側面の少なくとも一部領域に前記開口部を形成したことを特徴とする請求項１記載の弾球遊技機。
【請求項３】
前記整列通路の上面、側面、または下面の少なくとも一つの面に前記開口部を形成したことを特徴とする請求項１または請求項２記載の弾球遊技機。
【請求項４】
前記遊技盤の遊技領域を透視可能にその前面側を覆う透明板を保持する透明板保持枠をさらに備え、
前記透明板保持枠を開いた状態で、前記開口部を指触可能な位置に配置したことを特徴とする請求項１から請求項３のいずれかに記載の弾球遊技機。
【発明の詳細な説明】
【０００１】
【発明の属する技術分野】
本発明は、パチンコ遊技機などで代表される弾球遊技機に関する。詳しくは、該打球貯留部よりも上方に設けられ、前記打球貯留部の遊技球を遊技盤の遊技領域内に打ち込むための発射装置を備えた弾球遊技機に関する。
【０００２】
【従来の技術】
この種の弾球遊技機として従来から一般的に知られているものに、たとえば、パチンコ遊技機のような、遊技盤の前面に形成され、かつ遊技領域内にパチンコ球を打込んで遊技が行なわれるものがある。
【０００３】
このような弾球遊技機において、遊技盤の裏側に側枠の一側には入賞球集合部の出口から流出する遊技球を上方へ揚送する還元機と、還元機により揚送されてくる遊技球を一列に螺旋状に整列し、収納する螺旋タンクレールと、該螺旋タンクレールに並ぶ遊技球を一個づつ発射装置に供給する遊技球供給装置を設けるものがあった（たとえば、特許文献１参照）。
【０００４】
【特許文献１】
特開平０３−１８３９２号公報（第５頁）
【０００５】
【発明が解決しようとする課題】
しかしながら、従来の弾球遊技機では、揚送される遊技球を自重により還元機（揚送手段）に供給しているので、還元機に供給される遊技球の後続球の球圧によって球噛みに起因する球詰まりが生じ、また、異物が混入することによっても球詰まりが生じるという問題があった。さらに、このような球詰まりが生じたときでも、その回復に相当の時間を要し、遊技者はその間遊技を楽しむことができないという問題があった。
【０００６】
本発明は上記の問題に鑑みてなされたものであって、球噛みや異物の混入による球詰まりが生じにくく、また、万一球詰まりが生じた場合でもその回復を容易に行なうことができる弾球遊技機を提供することを目的としている。
【０００７】
【課題を解決するための手段の具体例およびその効果】
（１）  遊技に使用する遊技球（パチンコ球）を貯留する打球貯留部（打球貯留皿２０３）と、該打球貯留部よりも上方に設けられ、遊技球を遊技盤（２０６）の遊技領域内に発射するための発射装置（５００）と、前記打球貯留部の遊技球を整列する整列通路（４１６）と、該整列通路上の遊技球を前記発射装置に揚送する揚送手段（揚送ユニット４００）とを備えた弾球遊技機（パチンコ遊技機２）であって、前記発射装置が１個の遊技球を発射するたびに、前記整列通路上の遊技球のうち１個の遊技球を後続球と分離した状態で前記揚送手段に供給する揚送球供給手段（カバー体４５０、球供給スプロケット４１３）を備え、前記揚送球供給手段により前記揚送手段に供給される遊技球が該揚送手段に向けて移動する移動通路（４１４）の上面、側面、または下面の少なくとも一つの面に遊技球の直径よりも幅が狭い開口部（移動通路上面開口部６０１ａ、移動通路側面開口部６０１ｂ、移動通路下面開口部６０１ｃ）を形成したものである。
【０００８】
このような構成によれば、整列通路上の遊技球のうち１個の遊技球を後続球と分離した状態で揚送手段に遊技球を供給するので、後続球の球圧の影響による球噛みに起因する球詰まりを防止することができる。また、移動通路の側面、下面に遊技球の直径よりも幅が狭い開口部を形成した場合、移動通路に異物が混入した場合でも、開口部から異物を自然落下させることができ、異物の詰まりに起因する球詰まりを防止することができる。さらに、移動通路の上面、側面に開口部を形成した場合、万一、開口部から異物が自然落下しなかった場合や球噛みに起因して球詰まりが発生した場合でも、人為的に、たとえば操作ピンなどを使用して開口部から球噛みの回復や、異物を取り除くことなどを行なうことにより容易に復旧させることができる。
【０００９】
（２）  前記揚送手段は遊技球を揚送する揚送通路（４０４）を含み、該揚送通路の側面の少なくとも一部領域に前記開口部（揚送通路開口部６００）を形成したものである。
【００１０】
このような構成によれば、揚送通路の側面の少なくとも一部領域に開口部を形成しているので、万一、移動通路で異物を排除することができず、揚送手段に異物が混入した場合でも、揚送通路の開口部から異物を自然落下させることができ、異物の詰まりに起因する球詰まりを防止することができる。さらに、万一、開口部から異物が自然落下しなかった場合でも、人為的に、たとえば操作ピンなどを使用して開口部から球詰まりの回復や、異物を取り除くことなどを行なうことにより容易に復旧させることができる。
【００１１】
（３）  前記整列通路の上面、側面、または下面の少なくとも一つの面に前記開口部（整列通路上面開口部６０２ａ、整列通路側面開口部６０２ｂ、整列通路下面開口部６０２ｃ）を形成したものである。
【００１２】
このような構成によれば、整列通路の側面、下面に開口部を形成しているので、整列通路に異物が混入した場合でも、開口部から異物を自然落下させることができ、異物の詰まりに起因する球詰まりを防止することができる。さらに、整列通路の上面、側面に開口部を設けることにより、万一、開口部から異物が自然落下しなかった場合でも、人為的に、たとえば操作ピンなどを使用して開口部から球噛みの回復や、異物を取り除くことなどを行なうことにより容易に復旧させることができる。
【００１３】
（４）  前記遊技盤の遊技領域を透視可能にその前面側を覆う透明板を保持する透明板保持枠（ガラス扉枠２０２）をさらに備え、前記透明板保持枠を開いた状態で、前記開口部（６００、６０１ａ、６０１ｂ、６０１ｃ、６０２ａ、６０２ｂ、６０２ｃ）を指触可能な位置に配置したものである。
【００１４】
このような構成によれば、前記透明板保持枠を開いた状態で、前記開口部を指触可能な位置に配置しているので、遊技場の店員などは透明板保持枠を開くという単純な作業で、移動通路、揚送通路、整列通路に混入した異物を操作ピンなどを使用して、容易に取り除くことができるとともに、球詰まりの回復も容易に行なうことができる。
【００１５】
【発明の実施の形態】
以下に、本発明の実施の形態を図面にもとづいて説明する。なお、以下の実施の形態においては、弾球遊技機の一例としてパチンコ遊技機を示すが、遊技盤の前面に形成され、かつ入賞領域を有する遊技領域に遊技球を打込んで遊技が行なわれる遊技機であれば他の遊技機においても適用することが可能である。
【００１６】
以下、図面に基づいて本発明の実施形態を説明する。
図１は、本発明に係る弾球遊技機の一例のパチンコ遊技機２およびこれに対応して設置されたカードユニット３の正面図である。
【００１７】
図１に示すように、弾球遊技機であるパチンコ遊技機２は、該パチンコ遊技機２の側部位置に１対１にて配置される遊技用装置であるカードユニット３とともに、図示しない遊技島の前後面に複数並設されて使用される。
【００１８】
これらパチンコ遊技機２およびカードユニット３が並設される遊技島の内部には、各パチンコ遊技機２にパチンコ球を供給する供給樋や、各パチンコ遊技機２にて使用され、排出されたパチンコ球を集めて前記供給樋に揚送する揚送装置等が設けられているとともに、高さ方向略中央部には前記各カードユニット３より排出された紙幣を所定方向島端に設けられた回収ボックス（図示略）に搬送可能な紙幣搬送路（図示略）や、同様に前記各カードユニット３より排出された硬貨及びプリペイドカードを前記所定方向島端の回収ボックスに混合搬送可能な混合搬送路（図示略）等が設けられている。
【００１９】
パチンコ遊技機２は、遊技機枠としての前面扉枠２００と、該前面扉枠２００の前面側に開閉自在に枢支され、中央にガラス板が設けられたガラス扉枠２０２と、前面扉枠２００を開閉自在に枢支する四角枠状に形成された基枠２０１とからなる（図１，図２参照）。
【００２０】
ガラス扉枠２０２の下部前面には、貸し出された球および払い出された賞球を貯留するための打球貯留部としての打球貯留皿２０３が一体に設けられている（図１参照）。前面扉枠２００の前面における打球貯留皿２０３の下方には、打球貯留皿２０３から溢れた賞球を貯留する余剰球受皿２０４と、打球を発射する打球操作ハンドル（以下、操作ノブという）２０５とが設けられている。また、本実施形態における打球貯留皿２０３の左側面所定箇所には待機球返却樋２４２にパチンコ球を流入させ余剰球受皿２０４にパチンコ球を返還させるための返却操作ボタン２９６が設けられている（図１０参照）。
【００２１】
なお、２４１は、前記打球貯留皿２０３を含むガラス扉枠２０２を開放操作するためのシリンダ錠である。
【００２２】
次に、パチンコ遊技機２の構造を図２に基づいて説明する。
図２はパチンコ遊技機の構造を示す分解斜視図である。
【００２３】
前面扉枠２００には、略中央部に形成された開口２００ｃ内に遊技盤２０６が着脱自在に取付けられている。また、前面扉枠２００の前面２００ａにおける遊技盤２０６  に向かって左側方上部位置には、該遊技盤２０６の前面２００ａに形成される遊技領域２０７に向けてパチンコ球を発射するための発射装置５００が取付けられているとともに、前面扉枠２００の後面側における発射装置５００の下方には、前記発射装置５００  にパチンコ球を供給するための揚送ユニット４００（揚送装置）が取付けられている。
【００２４】
遊技盤２０６は、合成樹脂製の前面扉枠２００とは別個に、木製の板材により前面扉枠２００の略中央に形成された開口２００ｃに嵌合可能な形状に形成されており、開口２００ｃ内に前面扉枠２００の前方から嵌合し、前面扉枠２００に設けられた図示しない取付手段（例えば回転爪等）を介して前面扉枠２００に対して着脱自在に取り付けられている。
【００２５】
遊技盤２０６の前面２０６ａには、合成樹脂により構成された枠状のレール部材１１０が固着されており、このレール部材１１０に囲まれた内部領域が遊技領域２０７とされている。このレール部材１１０は所定幅を有し、パチンコ球の遊技領域２０７からの逸脱を防止するとともに、遊技盤２０６の前面２０６ａにおける遊技領域２０７の下部中央に形成されたアウト口２２６にパチンコ球を誘導するように構成されている。このアウト口２２６は、発射装置５００から発射された後、いずれの入賞口にも入賞しなかったパチンコ球をアウト球として回収する。
【００２６】
なお、遊技領域２０７を構成するレール部材１１０は、本実施例においては合成樹脂により形成されているため、パチンコ球との衝突音の発生が効果的に抑制されるものであるが、レール部材１１０の材質は合成樹脂に限定されるものではなく、従来公知のようにステンレス等の金属材等により形成してもよい。
【００２７】
前面扉枠２００の打球貯留皿２０３（図１参照）の下部には、該打球貯留皿２０３に貯留されているパチンコ球を整列して、後述する揚送ユニット４００（揚送装置）の下部ユニット４０１にパチンコ球を供給するように設けられた整列通路４１６が設けられている。
【００２８】
打球貯留皿２０３（図１参照）に貯留されているパチンコ球は、整列通路入口２８３から流出して整列通路４１６を流下し、後述する前記揚送ユニット４００の下部に設けられている下部ユニット４０１の移動通路４１４を通過して、該揚送ユニット４００にて発射装置５００に揚送、供給されて、発射装置５００により遊技盤２０６の前面２０６ａに形成された遊技領域２０７に打ち出されるようになっている。
【００２９】
揚送ユニット４００を構成する揚送路の側方位置には、前記発射装置５００にて打ち出されたが、発射勢いが弱いために前記遊技領域２０７に到達しなかったファール球を流下させるためのファール球流路２９５が設けられている。該ファール球流路２９５の下端部には、後述する賞球通路（図示略）に繋がるファール球流出口２８８が設けられており、前記ファール球が該ファール球流路２９５、ファール球流出口２８８、賞球通路（図示略）を通じて打球貯留皿２０３或いは余剰球受皿２０４に返却されるようになっている（図５，図１１参照）。
【００３０】
また、パチンコ遊技機２の前面扉枠２００には、前記前面扉枠２００に回動自在に枢支された裏機構板としての機構板２３６が取付けられている。
【００３１】
この機構板２３６の上部には球タンク２３８が設けられ、前記遊技島の前記供給樋より導出された供給管（図示略）よりパチンコ球が球タンク２３８に供給される。球タンク２３８内のパチンコ球は、誘導樋（図示略）を通って球払出装置（図示略）に供給される。
【００３２】
つぎに、機構板２３６の内面側の構成について説明すると、機構板２３６の内面側には、入賞球を誘導する入賞球誘導通路２７６とアウト球を誘導するアウト球通路２７７とが形成されている。入賞球誘導通路２７６の上方は、入賞球落下入口２７８となっており、前記遊技盤２０６の後面２０６ｂを覆うように形成された入賞球誘導カバー体（図示略）にて収集されて放出される入賞球を受け入れるようになっており、その受け入れた入賞球を入賞球誘導通路２７６が一側方に向かって誘導し、機構板２３６に形成された連通口２７９から機構板２３６の後面側に導き、さらにその連通口２７９と前記球抜き通路（図示略）の下流部とを連通する合流通路（図示略）に導くようになっている。
【００３３】
したがって、前記遊技盤２０６から排出されて入賞球誘導カバー体を介して入賞球落下入口２７８から受け入れられた入賞球は、入賞球誘導通路２７６、連通口２７９、合流通路（図示略）、球抜き通路（図示略）の最下流部、及び合流排出通路（図示略）を介してパチンコ遊技機２の外部に誘導されるようになっている。
【００３４】
また、アウト球通路２７７は、前記入賞球落下入口２７８の側方に形成される凹部２８１の下方に入賞球誘導通路２７６と上下方向に重複するように形成され、その流下端の機構板２３６の主体に連通口２８２が開設されて前記合流排出通路２８７に連通するようになっている。なお、上記した凹部２８１は、遊技盤２０６の下部を裏面から固定するために遊技盤収納枠下部のほぼ中央に取り付けられる遊技盤係止レバーを収容するためのものである。また、２９７は前記球払出装置である。
【００３５】
しかし、遊技盤２０６のアウト口２２６から取り込まれたアウト球は、遊技盤２０６の裏面に刻設形成されるアウト球排出通路（図示略）に導かれ、さらに前記遊技盤収納枠の下部の板状部分に形成されるアウト球連通口を経由して上記したアウト球通路２７７に導かれた後、連通口２８２並びに前記合流排出通路（図示略）を通ってパチンコ遊技機２の外部に導かれる。つまり、上記した合流排出通路（図示略）には、球抜き通路（図示略）からの球抜き球、アウト球通路２７７からのアウト球、入賞球誘導通路２７６からの入賞球がすべて合流されてパチンコ遊技機２の外部に誘導され、該合流排出通路（図示略）からパチンコ遊技機２の外部へ排出される。
【００３６】
次に、揚送ユニット４００に関して図３〜図６に基づいて説明する。
図３は、図１のＢ−Ｂ断面図であり、図４は、図１のＡ−Ａ断面図である。
【００３７】
図３に示すように、揚送路ケース４０２は、上下端が開口する筒状に形成されているとともに、供給されたパチンコ球が揚送される揚送通路４０４と、前記揚送スクリュー４０３が挿通配置されるスクリュー収容部４０５とが内部に形成されており、揚送スクリュー４０３の螺旋状凸部の外周４０３ａが前記揚送通路４０４に露出して揚送されるパチンコ球と摺接するように軸支されており、揚送スクリュー４０３の回転に伴ってパチンコ球が揚送通路４０４の内部を上方へと揚送されていく。
【００３８】
揚送路ケース４０２の上端部には、揚送スクリュー４０３の軸部４０３ｂの上端を回動自在に枢支するための蓋部材４３４が取り付けられている。詳しくは蓋部材４３４は、揚送路ケース４０２の上端縁部に形成されたフランジ部４０２ａに螺入される複数本のネジ４３６介して揚送路ケース４０２の上端部に取り付けられているとともに、その下面略中央部には、内面に雌ねじ部が形成された筒状の軸支部４３９が下方に向けて形成されており、この軸支部４３９内には、揚送スクリュー４０３の軸部４０３ｂの上端に固着されたベアリング（図示略）が圧入されており、揚送スクリュー４０３の軸部４０３ｂの上端が蓋部材４３４により回動自在に支持されるようになっている。
【００３９】
すなわち、揚送路ケース４０２と揚送スクリュー４０３とは、蓋部材４３４を介して一体化されており、これら一体化された揚送路ケース４０２及び揚送スクリュー４０３により揚送経路ユニット４０６が構成されている。
【００４０】
図４に示すように、揚送路ケース４０２における揚送通路４０４の前面側上部所定箇所には、揚送スクリュー４０３により上方に揚送されたパチンコ球を揚送ケース４０２外部に流出させるための流出口１０１が形成されているとともに、この流出口１０１からは、前方に配置される発射装置５００にパチンコ球を誘導するための発射球誘導路１０２を構成する発射球誘導路部材１０２’が延設されている。
【００４１】
本遊技機の揚送ケース４０２の右側方には、前述したファール球流路２９５を構成するファール球流路部材２９５’が設けられている。ファール球流路部材２９５’は、発射装置５００の外装ケース５１０における底板所定箇所に形成されたファール球流出口１０７の下端から下方に向けて延設されているとともに、その途中には後方に向けて屈曲する第１クランク部１０８ａが形成されており、前面扉枠２００に形成された貫通口１０９を通して流路が前面扉枠２００の前面２００ａ側から後面２００ｂ側に向けて延設されており、さらに前面扉枠２００に取り付けられる遊技盤２０６の後面２０６ｂよりも後方位置には、下方に向けて屈曲する第２クランク部１０８ｂが形成されており、該第２クランク部１０８ｂから下方に向けて、前面扉枠２００の後面２００ｂ側に配置される後部ファール球流路２９５ａが下方に向けて延設されている（図５（ｂ）（図５（ａ）のＡ−Ａ断面）参照）。
【００４２】
前面扉枠２００には、発射装置５００の外装ケース５１０の後板に形成された発射球流入口１０３に対応する箇所に連通口１０４が形成されており、発射球誘導路部材１０２’は、前記連通口１０４に向かって下方に傾斜するスロープ状に形成されているとともに、その下流側端部（先端部）に外向きに形成された取付片１０５が蝶ネジ１０６により前面扉枠２００に止着されており、発射球誘導路１０２の下流側端部が連通口１０４に連通されている。このように、揚送ケース４０２の上部まで揚送されたパチンコ球は、流出口１０１から流出した後、発射球誘導路１０２内を自然流下して、連通口１０４及び発射球流入口１０３を通過して発射装置５００内に供給されるようになっている。
【００４３】
また、揚送ユニット４００は、その上部に設けられた発射球誘導路部材１０２’の取付片１０５と、下部に設けられたベース板４０１’とが、蝶ネジ１０６、１００により前面扉枠２００の所定箇所に止着されることにより前面扉枠２００に取り付けられている。
【００４４】
なお、これら蝶ネジ１０６、１００を取り外すことで、揚送ユニット４００を前面扉枠２００から分離することが出来るとともに、揚送ユニット４００は、揚送経路ユニット４０６と下部ユニット４０１とが互いに分離自在に構成されているため、例えば揚送路ケース４０２内が汚れてメンテナンスが必要になったり、駆動モータ４１０が故障して交換する必要が生じた場合において、前面扉枠２００から容易に離脱してパチンコ遊技機２から取り外した状態でメンテナンス等の作業を行うことが出来るため、遊技中に何らかのトラブルが発生しても、遊技客に迷惑をかけることなく対応することが出来る。
【００４５】
また、前述した揚送ユニット４００は、前面扉枠２００の後面２００ｂ側における発射装置５００の配置位置と同一側方位置に配置されるように、前面扉枠２００の後面２００ｂに一体形成された揚送ユニット取付台１１１にベース板４０１’が蝶ネジ１００を介して止着されている（図３参照）。
【００４６】
次に、揚送経路ユニット４０６について説明する。
揚送路ケース４０２は、図３に示すように、上下端が開口する筒状に形成されているとともに、供給されたパチンコ球が揚送される揚送通路４０４と、前記揚送スクリュー４０３が挿通配置されるスクリュー収容部４０５とが内部に形成されており、揚送スクリュー４０３の螺旋状凸部の外周４０３ａが前記揚送通路４０４に露出して揚送されるパチンコ球と摺接するように軸支されており、揚送スクリュー４０３の回転に伴ってパチンコ球が揚送通路４０４の内部を上方へと揚送されていく。
【００４７】
揚送経路ユニット４０６の下方には、前面扉枠２００の後面２００ｂにおける下部所定箇所から後向きに突出形成された揚送ユニット取付台１１１の上面に、蝶ネジ１００を介して固着されるベース板４０１’と、このベース板４０１’の上面に設けられるカバー体４５０が設けられ、ベース板４０１’の下面には、揚送スクリュー４０３及び球供給スプロケット４１３を駆動する揚送装置駆動源としての駆動モータ４１０が取り付けられる。
【００４８】
また、カバー体４５０の上面には、揚送路ケース４０２の下端部が嵌合される嵌合部４５１が形成されているとともに、その嵌合部４５１の内部には、嵌合された揚送路ケース４０２の下端開口が連通する開口が形成されている。さらに、カバー体４５０の内部には、前記整列通路を４１６流下してきたパチンコ球を前記揚送路内部に供給するための円盤状の球供給スプロケット４１３が、前記揚送スクリュー４０３を駆動する駆動モータ４１０にて駆動される駆動ギア４１１と噛合する受動ギア４１２と同軸に軸支されて設けられており、該球供給スプロケット４１３の外周には、１つのパチンコ球を収容するための略半円形状の移動通路４１４が設けられている。
【００４９】
次に、揚送装置及び発射装置について図５、図６を用いて説明する。
図５（ａ）は揚送装置及び発射装置を示す縦断面図であり、（ｂ）は（ａ）の縦断面図のＡ−Ａ断面図であり、（ｃ）は（ａ）の縦断面図のＢ−Ｂ断面図である。また、図６は揚送装置の下部構造を示す透視斜視図である。
【００５０】
図５（ａ）に示すように、揚送ユニット４００は、主にパチンコ球を１つ１つ分離した状態で揚送するための揚送部材としての揚送スクリュー４０３、及び該揚送スクリュー４０３を内部に収容する揚送路ケース４０２から成る揚送経路ユニット４０６と、該揚送経路ユニット４０６の下方に設けられ、前記揚送スクリュー４０３を駆動する駆動モータ４１０や、前記揚送路内にパチンコ球を供給する揚送球供給装置を構成する球供給スプロケット４１３や、該球供給スプロケット４１３にパチンコ球を誘導する移動通路４１４を有する下部ユニット４０１とから構成されている。
【００５１】
下部ユニット４０１は、前面扉枠２００の後面２００ｂ  における下部所定箇所から後向きに突出形成された揚送ユニット取付台１１１  の上面に、蝶ネジ１００  を介して固着されるベース板４０１’と、このベース板４０１’の上面に設けられるカバー体４５０  とから外形が主に構成される。ベース板４０１’の下面には、揚送スクリュー４０３及び球供給スプロケット４１３を駆動する揚送装置駆動源としての駆動モータ４１０  が取り付けられる。
【００５２】
揚送ユニット４００を構成する揚送路内にパチンコ球を供給する揚送球供給手段となる下部ユニット４０１の移動通路４１４の上流位置には、整列通路４１６並びに前記打球貯留皿２０３（図３参照）に停留するパチンコ球（待機球）を余剰球受皿２０４（図３参照）に流下させるための抜き取り手段としての待機球返却部４２０が設けられており、該待機球返却部４２０に対応する位置となる打球貯留皿２０３の下方左部位置に設けられた返却操作ボタン２９６（図１参照）を押圧操作することで、待機球返却樋２４２を通じパチンコ球（待機球）の返却（抜き取り）が実施される（図９参照）。
【００５３】
カバー体４５０の上面には、揚送路ケース４０２の下端部が嵌合される嵌合部４５１（図３参照）が形成されているとともに、その嵌合部４５１の内部には、嵌合された揚送路ケース４０２の下端開口が連通する開口が形成されている。
【００５４】
この揚送通路４０４の側面の揚送路ケースの一部の領域には、図６に示すように、パチンコ球の直径よりも幅が狭い揚送通路開口部６００が間欠的に形成されている。そして、たとえば、揚送通路４０４に異物が混入した場合には、揚送通路開口部６００から異物が自然落下し、球詰まりが発生しにくくなる。また、万一、揚送通路開口部６００から異物が自然落下しなかった場合や球詰まりが発生した場合でも、人為的に、たとえば操作ピンなどを使用して揚送通路開口部６００から球詰まりの回復や、異物を取り除くことなどを行なうことにより容易に復旧させることができる。
【００５５】
つぎに、図６に示すように、カバー体４５０の内部には、前記整列通路４１６を流下してきたパチンコ球を前記揚送路内部に供給するための円盤状の球供給スプロケット４１３が、前記揚送スクリュー４０３を駆動する駆動モータ４１０にて駆動される駆動ギア４１１と噛合する受動ギア４１２と同軸に軸支されて設けられており（図３参照）、該球供給スプロケット４１３の外周には、１つのパチンコ球を収容するための略半円形状の移動通路４１４が設けられている。
【００５６】
この移動通路４１４の上面には、パチンコ球の直径よりも幅が狭い移動通路上面開口部６０１ａが形成されており、また移動通路４１４の側面には、パチンコ球の直径よりも幅が狭い移動通路側面開口部６０１ｂが形成されている。さらに、移動通路４１４の下面には、パチンコ球の直径よりも幅が狭い移動通路下面開口部６０１ｃが形成されている。そして、この移動通路４１４の側面、下面の移動通路側面開口部６０１ｂ、移動通路下面開口部６０１ｃを設けることによって、移動通路４１４に異物が混入した場合には、上記開口部（６０１ｂ、６０１ｃ）から異物が自然落下し、球詰まりが発生しにくくなる。
【００５７】
また、移動通路４１４の上面、側面に移動通路上面開口部６０１ａ、移動通路側面開口部６０１ｂを設けることによって、万一、上記開口部（６０１ｂ、６０１ｃ）から異物が自然落下しなかった場合や球噛みに起因して球詰まりが発生した場合でも、人為的に、たとえば操作ピンなどを使用して上記開口部（６０１ａ、６０１ｂ）から球噛みを解消させたり、異物を取り除いたりすることがより容易になる。
【００５８】
なお、本実施の形態では、説明の関係上、移動通路４１４に移動通路上面開口部６０１ａ、移動通路側面開口部６０１ｂ、移動通路下面開口部６０１ｃのすべてを設けて説明しているが、必ずしも上記開口部（６０１ａ、６０１ｂ、６０１ｃ）をすべて移動通路４１４に設ける必要がなく、たとえば移動通路４１４に移動通路上面開口部６０１ａのみを設けたり、移動通路上面開口部６０１ａと移動通路側面開口部６０１ｂ設けたりして、上記それぞれの開口部（６０１ａ、６０１ｂ、６０１ｃ）を適宜、選択して設けてもよい。
【００５９】
また、球供給スプロケット４１３に供給される球圧並びに前記待機球返却部４２０に供給される球圧を緩和することを目的として、本実施例では、打球貯留皿２０３からの整列通路４１６におけるパチンコ球の流下方向と異なる方向にパチンコ球を誘導することにより球圧を緩和するために整列通路４１６が延設されている。そして、該整列通路４１６の下流位置には前記待機球返却部４２０が設けられており、球圧緩和後のパチンコ球が待機球返却部４２０に供給されることで、パチンコ球が良好に待機球返却部４２０の下方へ流下するように工夫されている。
【００６０】
また、この整列通路４１６にて球圧が緩和されたパチンコ球は、カバー体４５０の一部により上面視略逆Ｓ字状に屈曲するように形成された整列通路４１６において更に球圧が緩和された後、下部ユニット４０１の内方側に回り込むように球供給スプロケット４１３に供給される。
【００６１】
なお、整列通路４１６は、図９に示すように、揚送路ケース４０２が遊技盤２０６の後面２０６ｂ側に配置されるように、遊技盤２０６の前面２０６ａ側から後面２０６ｂ側まで延設されている。
【００６２】
この整列通路４１６の上面には、パチンコ球の直径よりも幅が狭い整列通路上面開口部６０２ａが形成されており、また整列通路４１６の側面には、パチンコ球の直径よりも幅が狭い整列通路側面開口部６０２ｂが形成されている。さらに、整列通路４１６の下面には、パチンコ球の直径よりも幅が狭い整列通路下面開口部６０２ｃが形成されている。
【００６３】
この整列通路４１６の側面、下面の整列通路側面開口部６０２ｂ、整列通路下面開口部６０２ｃを設けることにより、整列通路４１６に異物が混入した場合でも、開口部（６０２ｂ、６０２ｃ）から異物を自然落下させることができる。
【００６４】
また、整列通路４１６の上面、側面に整列通路上面開口部６０２ａ、整列通路側面開口部６０２ｂを設けることにより、万一、開口部（６０２ｂ、６０２ｃ）から異物が自然落下しなかった場合や球噛みに起因して球詰まりが発生した場合でも、人為的に、たとえば操作ピンなどを使用して開口部（６０２ａ、６０２ｂ）から球詰まりを解消させたり、異物を取り除いたりすることがより容易になる。
【００６５】
なお、本実施の形態では、説明の関係上、整列通路４１６に整列通路上面開口部６０２ａ、整列通路側面開口部６０２ｂ、整列通路下面開口部６０２ｃのすべてを設けて説明しているが、必ずしも整列通路４１６に上記すべての開口部（６０２ａ、６０２ｂ、６０２ｃ）を設ける必要がなく、たとえば整列通路４１６に整列通路上面開口部６０２ａのみを設けたり、整列通路上面開口部６０２ａと整列通路側面開口部６０２ｂ設けたりして、上記それぞれの開口部（６０２ａ、６０２ｂ、６０２ｃ）を適宜、選択して設けてもよい。
【００６６】
また、図２に示すように遊技盤２０６には切欠部６６０が設けられている。この切欠部６６０は、遊技場の係員がガラス板を保持するガラス扉枠２０２を開けて、上記の開口部（６００、６０１ａ、６０１ｂ、６０１ｃ、６０２ａ、６０２ｂ、６０２ｃ）を指触するために設けたものである。すなわち、上記の開口部（６００、６０１ａ、６０１ｂ、６０１ｃ、６０２ａ、６０２ｂ、６０２ｃ）の少なくとも一つは、遊技盤２０６の切欠部６６０の近傍に配置され、遊技場の係員がガラス扉枠２０２を開いた状態で、指触可能な位置に配置されている。たとえば、整列通路４１６の整列通路上面開口部６０２ａを遊技場の係員などがガラス扉枠２０２を開いた状態で指触可能にするためには、整列通路上面開口部６０２ａを遊技盤２０６の近傍に配置させて、整列通路上面開口部６０２ａを切欠部６６０を介し露出させればよく（遊技場の係員などがガラス扉枠２０２を開いた状態で指触できる位置におけばよく）、また、他の開口部（６００、６０１ａ、６０１ｂ、６０１ｃ、６０２ｂ、６０２ｃ）についても、同様に遊技盤２０６の近傍に配置させて、切欠部６６０を介し露出させることにより、遊技場の係員などがガラス扉枠２０２を開くという単純な作業により開口部６００、６０１ａ、６０１ｂ、６０１ｃ、６０２ｂ、６０２ｃ）に指触できるようになる。ここで、「指触することができる」とは、文字通りの「指で触れることができる」という意味のみならず、「操作物（たとえば、操作ピン）を用いることにより触れることができる」意味も含まれる。すなわち、手段（機械的に触れるものも含む）を問わず、遊技盤２０６の切欠部６６０を介し開口部（６００、６０１ａ、６０１ｂ、６０１ｃ、６０２ｂ、６０２ｃ）に触れることができるいう意味である。
【００６７】
このことにより、遊技場の店員などは遊技者が遊技ガラス扉枠２０２を開くことにより、上記開口部（６００、６０１ａ、６０１ｂ、６０１ｃ、６０２ａ、６０２ｂ、６０２ｃ）のいずれかを指触し、移動通路、揚送通路、整列通路に混入した異物を操作ピンなどを使用して、容易に取り除くことができるとともに、球詰まりの回復も容易に行なうことができる。
【００６８】
なお、本実施形態では、切欠部６６０を設けて開口部（６００、６０１ａ、６０１ｂ、６０１ｃ、６０２ｂ、６０２ｃ）に指触可能にしているが、切欠部６６０を設けないで、開口部自体を遊技盤２０６の前面に突出させ指触可能にしてもよく、また、切欠部６６０の代わりに遊技盤２０６に遊技盤開口部（図示略）を設け、遊技盤開口部（図示略）の近傍に位置する開口部（６００、６０１ａ、６０１ｂ、６０１ｃ、６０２ｂ、６０２ｃ）を遊技盤開口部を介し指触できるようにしてもよい。
【００６９】
また、図６に示すように移動通路４１４の開口部（６０１ａ、６０１ｂ、６０１ｃ）は整列通路４１６の開口部（６０２ａ、６０２ｂ、６０２ｃ）と連なって形成しているが、各開口部を別々に形成してもよい。ここで、連ねて形成すれば、別々に形成するより、異物を取り除くことなどがより容易になる。
【００７０】
つぎに、球供給スプロケット４１３に供給されたパチンコ球は、前記球供給スプロケット４１３の回動により、前記移動通路４１４が、パチンコ球の流入口方向に向くことで、該移動通路４１４内部にパチンコ球が取り込まれる。
【００７１】
次いで、移動通路４１４内部に取り込まれた１個のパチンコ球が、球供給スプロケット４１３の回動に伴って、回転方向に移動し、球供給スプロケット４１３が９０度回転した位置にてパチンコ球が揚送路を構成する揚送通路４０４内に供給される。
【００７２】
この球供給スプロケット４１３によるパチンコ球の供給に際して、パチンコ球と揚送スクリュー４０３の螺旋状凸部とが衝突しないように、受動ギア４１２と駆動ギア４１１とにより、球供給スプロケット４１３と揚送スクリュー４０３とが同期されているとともに、パチンコ球が揚送通路４０４内に供給されるとほぼ同時に、揚送スクリュー４０３の螺旋状凸部の下端部と供給されたパチンコ球とが摺接するように同期されることで、前記移動通路４１４内からパチンコ球が上方へ、後続のパチンコ球と当接することなく互いに分離された状態で揚送された後に流出するようになっていて、供給された球を迅速に揚送へ移行できるようになっている。
【００７３】
また、図３に示すように、この受動ギア４１２と駆動ギア４１１とは、そのギア比が、駆動ギア４１１と同軸にて回転される前記揚送スクリュー４０３により、揚送球が揚送路のほぼ中間位置に揚送されるようになる回転回数（本実施例では約４．５回転）にて受動ギア４１２が１周するようなギア比とされていて、揚送路内の中間位置にパチンコ球が揚送される毎、つまりは、既に中間位置に揚送されているパチンコ球が発射装置５００に供給される毎に、１つのパチンコ球が揚送スクリュー４０３に対して供給されるようになっており、揚送路内には最大で２つの球しか同時に存在しないようになっており、これら受動ギア４１２と駆動ギア４１１とを駆動する駆動モータ４１０が接続コネクタに接続されて、その動作が発射揚送制御基板２９１にて制御されることで、前記発射装置５００からのパチンコ球の発射に連動して揚送ユニット４００によるパチンコ球の揚送、供給が実施されるようになっている。
【００７４】
このように、打球貯留皿２０３に貯留されているパチンコ球を揚送ユニット４００に１個ずつ分離して供給する揚送球供給装置を構成する球供給スプロケット４１３は、揚送スクリュー４０３を回転させるための駆動モータ４１０の駆動により回転する駆動ギア４１１に噛合する受動ギア４１２とともに回転するように設けられており、この受動ギア４１２と駆動ギア４１１とのギア比が、揚送スクリュー４０３により揚送球が揚送路のほぼ中間位置に揚送されるようになる回転回数にて受動ギア４１２が１周するように構成されている。
【００７５】
すなわち、駆動モータ４１０の駆動が停止したときおいて、揚送球供給装置の外形を構成するカバー体４５０の内部に同時に存在するパチンコ球が１個以下となるように、球供給スプロケット４１３が構成されているため、例えば駆動モータ４１０の駆動が何らかの要因により故障したり、カバー体４５０内を清掃するため等、メンテナンスが必要になって駆動モータ４１０の駆動を停止した場合等において、カバー体４５０内に多数のパチンコ球が残存して、それらの抜き取り作業が困難となることがないため、メンテナンス時における作業性が効果的に向上する。
【００７６】
また、カバー体４５０内に異物が混入したり、またその他の要因により駆動モータ４１０が故障し、回転しなくなった場合には、エラー検出手段（図示略）で駆動モータ４１０が回転しなくなったことを検出し、その検出結果を、たとえば報知音やその旨を表示をして遊技場係員に知らせることができる。そして、遊技場の係員などは、カバー体４５０内に残存している異物を、駆動ギア４１１もしくは駆動ギア４１１に噛合する受動ギア４１２を手動で回動させ、揚送スクリュー４０３などを回転させることにより取り除くことができる。
【００７７】
このように、本パチンコ遊技機２は発射装置５００が１個のパチンコ球を発射するたびに、揚送球供給手段の球供給スプロケット４１３が整列通路４１６上の１個のパチンコ球を後続球と分離した状態で、揚送装置に供給し、揚送装置の揚送スクリュー４０３が揚送装置内の１個の遊技球を分離した状態で発射装置５００に供給する連動制御手段を備える。このような構成は、揚送装置にパチンコ球を供給する揚送球供給装置を設けたため、後続球の球圧を受けることなくパチンコ球が揚送装置に供給され、さらに揚送装置が後続球と分離した状態で発射装置５００に供給する作用となり、球詰まりの発生頻度を下げるとともに安定したパチンコ球の発射数を確保する効果を備え、発射不備による遊技者の不快感が取り除かれるばかりか、発射数減少による遊技場の売上げ低下を防止する効果を有する。
【００７８】
また、前記連動制御手段は揚送装置と揚送球供給装置を連動させる連動機構（駆動ギア４１１と受動ギア４１２）の駆動ギア４１１を駆動させる駆動装置である駆動モータ４１０と、発射装置５００を駆動する発射駆動装置であるカム駆動モータ５１１とを１つの制御手段（発射揚送制御基板（図７参照））で制御を行なうため、連動機構および同一基板制御といった構成は遊技機の部品数低減化により遊技機のコストを低減する効果を備える。
【００７９】
また、本実施例における揚送球供給装置の球供給スプロケット４１３は、駆動モータ４１０の駆動を停止した場合等において、カバー体４５０内に多数のパチンコ球が残存しないようにするために、球供給スプロケット４１３の周面に１個の移動通路４１４のみが形成されていたが、整列通路４１６内の後続のパチンコ球から１個ずつ分離して揚送スクリュー４０３に供給できるように構成されていれば、球供給スプロケット４１３に複数の移動通路４１４が形成されていてもよい。
【００８０】
本遊技機の揚送ケース４０２の内側方には、図５に示すように、ファール球流路２９５を構成するファール球流路部材２９５’が設けられている。ファール球流路部材２９５’は、発射装置５００の外装ケース５１０における底板所定箇所に形成されたファール球流出口１０７の下端から下方に向けて延設されているとともに、その途中には後方に向けて屈曲する第１クランク部１０８ａが形成されており、前面扉枠２００に形成された貫通口１０９を通して流路が前面扉枠２００の前面２００ａ側から後面２００ｂ側に向けて延設されており、さらに前面扉枠２００に取り付けられる遊技盤２０６の後面２０６ａよりも後方位置には、下方に向けて屈曲する第２クランク部１０８ｂが形成されており、該第２クランク部１０８ｂから下方に向けて、前面扉枠２００の後面２００ｂ側に配置される後部ファール球流路２９５ａが下方に向けて延設されている。
【００８１】
なお、第１クランク部１０８ａにおける角部には傾斜リブ１１３が設けられており、この傾斜リブ１１３によりパチンコ球を第１クランク部１０８ａに滞留させずにスムーズに流下させるようになっている。
【００８２】
このように、発射装置５００から打ち出されたが、遊技領域２０７に到達しなかったパチンコ球は、外装ケース５１０の底板に形成されたファール球流出口１０７からファール球流路２９５内に流出して流下してファール球として回収された後、その下端部に形成されたファール球流出口２８８から賞球通路（図示略）を通じて打球貯留皿２０３或いは余剰球受皿２０４に返却される。
【００８３】
なお、前記揚送路ケース４０２は、透明な樹脂製（アクリル樹脂）にて構成されており、このように透明な樹脂を用いることは、揚送通路４０４内部並びにスクリュー収容部４０５の内部の状態を、目視にて分解することなく容易に確認できることから好ましいが、本発明はこれに限定されるものではなく、これら揚送路ケース４０２を不透明な樹脂や金属等にて形成しても良い。
【００８４】
本実施例に用いた前記揚送スクリュー４０３の前記螺旋状突出部は、低摩擦であって帯電防止能に優れる導電材である導電性ポリプロピレン樹脂にて形成されており、このように前記螺旋状突出部を導電材或いは帯電防止能を有する帯電防止材にて形成することは、前記パチンコ球の揚送において、パチンコ球と揚送スクリュー４０３とが摺動することにより静電気が発生することを防止するとともに、揚送スクリュー４０３を適宜にアースしておくことで、既にパチンコ球が帯電している場合にあっても、該パチンコ球の帯電を除去できるようになることから好ましいが、本発明はこれに限定されるものではなく、これら揚送スクリュー４０３をより導電性の優れる金属にて形成したり、或いは帯電防止能を有しない通常の樹脂にて形成するようにしても良い。
【００８５】
また、本実施例では、前述のように、揚送スクリュー４０３並びに球供給スプロケット４１３の双方を同一の駆動源である駆動モータ４１０にて駆動するようにしており、このようにすることは、個別に駆動モータを設けるのに比較して動力源の数を低減できるため、コストを抑えることができるとともに、前記揚送スクリュー４０３と球供給スプロケット４１３の同期（連動）を、前述のようにギア比等にて機械的に設定することで、容易且つ確実に制御できることから好ましいが、本発明はこれに限定されるものではなく、個々の動力源を個別の駆動モータとして制御するようにしても良い。
【００８６】
また、本実施例では、揚送通路４０４がパチンコ遊技機２の前側を向くように揚送ユニット４００が取り付けられているが、本発明はこれに限定されるものではなく、例えば揚送ユニット４００が、前記揚送通路４０４がパチンコ遊技機２の後側を向くように取り付けられていてもよい。
【００８７】
このように、本実施例における発射装置５００は、前面扉枠２００の前面２００ａにおける左上部側方位置、すなわち、中央に形成された開口２００ｃに装着される遊技盤２０６の前面２０６ａに形成された遊技領域２０７の上部左側方に取り付けられているため、遊技盤２０６の前面２０６ａ下部に従来のパチンコ機が備えていた発射レール等を設ける必要がないことから、遊技領域２０７が従来のパチンコ機の遊技領域に比較して下方に向けて大きく拡大されている。
【００８８】
また、揚送ユニット４００は、前面扉枠２００の後面２００ｂとの間に遊技盤２０６を介在させるために必要なスペースが形成されるように、前面扉枠２００の後面２００ｂから所定距離離れた後方位置に配置されているため、前面扉枠２００の開口２００ｃ（図２参照）に遊技盤２０６が取り付けられた状態において、遊技盤２０６の後面２０６ｂ側に配置されることになる。
【００８９】
図７は、発射揚送制御基板の構成を説明するためのブロック図である。
図７に示すように、これら発射揚送制御基板２９１の構成は、主に揚送ユニット４００と発射装置５００の同期連動の動作制御を行なう発射揚送制御ブロック２９１ａと、打球の強度調節を行なう打球強度調整ブロック２９１ｂとを有しており、前記発射揚送制御ブロック２９１ａには、前記打球操作ハンドル２０５内に設けられているタッチセンサ（図示せず）や単発発射スイッチ（図示せず）からのＯＮ／ＯＦＦ信号が入力されるとともに、前記打球強度調整ブロック２９１ｂには、打球操作ハンドル２０５に内蔵されているロータリーエンコーダからのエンコーダパルスが入力されるようになっている。
【００９０】
本実施形態の発射揚送制御ブロック２９１ａには、前記タッチセンサや単発発射スイッチからの入力を検出するための入力回路とともに、該入力回路への入力状態にもとづき、打球の発射状態に伴う揚送ユニット４００と発射装置５００の動作状態を決定するモータ駆動ロジック回路と、該モータ駆動ロジック回路にて決定された動作状態にもとづいて、接続されている前記揚送ユニット４００の駆動モータ４１０並びに発射装置５００のカム駆動モータ５１１に対し、同一の駆動信号パルスを出力して、該駆動モータ４１０並びにカム駆動モータ５１１を同一回転させるモータ駆動回路（ドライバ）と、該モータ駆動回路（ドライバ）に供給される電流値を設定するための電流値設定回路、とが設けられている。尚、図中における破線は、駆動モータ４１０並びにカム駆動モータ５１１の原点センサからの入力を示している。
【００９１】
このように、本実施形態では、前記駆動モータ４１０並びにカム駆動モータ５１１として同一のサーボモータを使用し、これら同一のサーボモータを共通のモータ駆動回路（ドライバ）に接続して同一の駆動信号にて駆動することで、これら駆動モータ４１０並びにカム駆動モータ５１１が同一の回転とするようにしており、これら同一回転の回転力を伝達するギアの設定を、前述のように、発射装置５００における発射動作（カム軸５０１’の１回転）に対して１個の揚送球が揚送スクリュー４０３の回転により供給されるような設定とすることで、揚送ユニット４００と発射装置５００の同期連動が実施されている。
【００９２】
尚、本実施形態においては前記したように、駆動制御手段である前記モータ駆動回路（ドライバ）を１つとしているが、本発明はこれに限定されるものではなく、これらモータ駆動回路（ドライバ）を、記駆動モータ４１０並びにカム駆動モータ５１１のそれぞれに対応して設けるようにしても良い。
【００９３】
また、本実施形態の打球強度調整ブロック２９１ｂには、打球操作ハンドル２０５からのエンコーダパルスの入力にもとづき、打球操作ハンドル２０５の回転角度を検出するための角度検出回路と、該角度検出回路からの角度情報にもとづいて発射強度を決定して発射強度に対応するモータ駆動情報を出力する発射強度調整ロジック回路と、該発射強度調整ロジック回路から出力されたモータ駆動情報にもとづいて発射強度調整用モータ５１２を駆動する発射強度調整用モータ駆動部（ドライバ）とが設けられていて、該打球強度調整ブロック２９１ｂにて打球操作ハンドル２０５の回動操作に対応して、発射されるパチンコ球の発射強度が調節されるようになっている。
【００９４】
尚、前記操作ノブ２０５により連続した発射操作が為されている場合には、前記揚送ユニット４００の駆動モータ４１０は、連続するパチンコ球の揚送において、回転速度を変化させることなく、ほぼ同一の回転速度にて、球供給スプロケット４１３から間歇的に供給されるパチンコ球を揚送するようになっており、このようにすることは、連続するパチンコ球の揚送において、駆動モータ４１０の回転速度を変化させて打球発射装置５００へのパチンコ球の供給同期を計る場合に比較して、加減速に伴う駆動モータ４１０の損耗を低減できるとともに、揚送球が揚送通路４０４内にて踊ることによる不都合や該揚送球が踊ることによる騒音の発生を解消できることから好ましいが、本発明はこれに限定されるものではなく、回転速度を変化させて打球発射装置５００への供給同期を計るようにしても良い。
【００９５】
そして、発射装置５００による発射球の発射勢いは、前記操作ノブ２０５の操作量に従って発射装置５００内部に設けられている発射強度調整用モータ５１２の動作が制御され、前記発射用スプリング５０４の付勢力が調節されることで、操作ノブ２０５の操作量に従って調整される。すなわち、発射揚送制御基板２９１上の回路によって、操作ノブ２０５の操作量に応じた速度で打球が発射されるように制御される。
【００９６】
次いで、本実施例に用いた発射装置５００の内部構成について、図８を用いて説明する。
【００９７】
発射装置５００の外装ケース５１０内部には、共通の揺動軸５１３に揺動自在に軸支された球リフトアーム５０２と発射アーム５０３が設けられている。
【００９８】
これら球リフトアーム５０２と発射アーム５０３の一方端は、発射装置５００の上部裏面側に固設されたカム駆動モータ５１１にて回転駆動されるカム軸５０１’に同軸に固設されたリフト用カム５０１ａ並びに発射用カム５０１ｂに摺接することで、該リフト用カム５０１ａ並びに発射用カム５０１ｂの回動に伴って球リフトアーム５０２と発射アーム５０３とが個別の揺動動作を為すようになっているとともに、発射アーム５０３は、発射装置５００の下方に、前記球リフトアーム５０２と発射アーム５０３の揺動円弧に外接するように傾斜配置された発射レール５０８にほぼ並行となるように張架された発射用スプリング５０４にて付勢されており、また、球リフトアーム５０２は、前記発射用スプリング５０４とほぼ直交するように張架されたリフト用スプリング５０６にて付勢されている。  また、発射用スプリング５０４の発射アーム５０３との連結側ではない他方端は、発射用スプリング５０４の張架方向にスライド可能とされたスライド片５０５に連結されていて、該スライド片５０５が、発射装置５００の裏面側に固設された発射強度調整用モータ５１２によりスライドすることで、発射アーム５０３の付勢力が調節され、該発射アーム５０３にて打ち出されるパチンコ球の発射強度を調節できるようになっており、これら発射強度の調節は、前記打球操作ハンドル２０５の操作に基づいて前記発射揚送制御基板２９１によって前記発射強度調整用モータ５１２の動作が制御されることで実施される。
【００９９】
また、前記発射レール５０８の傾斜下方端位置には、前記ファール球流路２９５に連通するファール球流出口１０７の開閉を、前記球リフトアーム５０２の下端と摺接することによって該球リフトアーム５０２の揺動に伴って実施するファール球通路弁５０７が設けられており、該ファール球通路弁５０７は図示しないスプリングにより、前記ファール球流出口１０７を塞がない開状態となるように常時付勢されている。
【０１００】
この発射装置５００の発射動作は、まず図８（ａ）に示すように、前記カム５０１の回動によって、前記球リフトアーム５０２と発射アーム５０３の双方が、前記リフト用スプリング５０６並びに発射用スプリング５０４の付勢力に抗して、発射装置５００の下方隅部の位置まで揺動されるとともに、この状態において、前記揚送ユニット４００の駆動モータ４１０が駆動されて、揚送されたパチンコ球が前記発射球誘導路１０２内を流下して、発射球流入口１０３から発射装置５００に供給される。
【０１０１】
該発射装置５００に供給されたパチンコ球は、図８（ｂ）に示されるように、前記リフト用カム５０１ａの回動によって、まず球リフトアーム５０２のみが揺動を開始することで、発射平面となる前記発射アーム５０３の揺動平面と同一平面上を、該球リフトアーム５０２によって前記発射レール５０８上の所定の発射位置へ誘導される。この誘導に際して前記ファール球通路弁５０７は、球リフトアーム５０２の揺動に伴って該球リフトアーム５０２の下端と摺接することにより、前記ファール球流出口１０７が閉じた状態となる。
【０１０２】
尚、前記球リフトアーム５０２の揺動外周端部には、発射アーム５０３の先端に設けられた打ち出しスプリングが挿通可能な円形窓が形成されていて、前記円形窓内に前記発射位置へ誘導されたパチンコ球が保持されるようになっており、
このように発射されるパチンコ球を保持することは、発射の際のパチンコ球の位置精度を向上でき、安定したパチンコ球の発射が可能となることから好ましいが、本発明はこれに限定されるものではなく、これら保持を実施しない構成としても良い。
【０１０３】
また、前記リフト用カム５０１ａの形状は、前記発射位置の遠方領域において前記球リフトアーム５０２の揺動下端の移動速度が大きくなるように、その外径が大きく増加するとともに、前記発射位置の近傍において、球リフトアーム５０２の揺動下端の移動速度が低速となることで誘導されるパチンコ球の誘導速度が低速となるように、その外径が微増するような形状となっており、このように発射位置の近傍においてパチンコ球の誘導速度が低速となるようにすることは、誘導中におけるパチンコ球のブレ（振動）を低減できることにより安定した発射強度を得ることができることから好ましいが、本発明はこれに限定されるものではなく、これら低速誘導を実施しない構成としても良い。
【０１０４】
更に、本実施例では前記低速誘導を前記リフト用カム５０１ａの形状により実施しており、このようにすることは、例えばこれらの低速誘導をカム駆動モータ５１１の回転速度制御等にて実施する場合に比較して、滑らかな低速誘導が可能となるばかりか、回転速度の加減速が繰り返されることを回避できることで、カム駆動モータ５１１の損耗も低減できることから好ましいが、本発明はこれに限定されるものではなく、これらの低速誘導をカム駆動モータ５１１の回転速度制御にて実施するようにしても良い。
【０１０５】
次いで、発射レール５０８上の所定の発射位置へ誘導されたパチンコ球は、図８（ｃ）に示されるように、発射用カム５０１ｂの回動に伴い、前記発射用スプリング５０４に抗する力が解除されることで、該発射用スプリング５０４による付勢力に比例する勢いにて、発射アーム５０３が図中の矢印方向に揺動することで、発射レール５０８上の発射路５０９を通じて遊技領域２０７へ打ち出される（図１０参照）。
【０１０６】
この際、発射の勢いが弱く、遊技領域２０７に達しなかったパチンコ球は、前記発射レール５０８上を傾斜下方側へ流下してくるが、発射後のカム５０１の回動に伴って、前記球リフトアーム５０２と発射アーム５０３の双方が、スプリング５０４、５０６に抗して揺動を開始することで、それまで球リフトアーム５０２の下端部に摺接することで前記ファール球流路２９５のファール球流出口１０７を塞いでいたファール球通路弁５０７が、摺接の解除に伴って、スプリングにより起立状態に戻ることでファール球流出口１０７が開状態となり、前記発射レール５０８上を流下してきたファール球がファール球流路２９５内へ流入され、該ファール球流路２９５の下端に形成されているファール球流出口２８８、賞球通路２７３を通じて打球貯留皿２０３或いは余剰球受皿２０４に返却される（図１１参照）。
【０１０７】
このように、図３に示すように揚送ユニット４００は、前面扉枠２００に取り付けられる遊技盤２０６の後面２０６ｂ側に配置された状態で前面扉枠２００の揚送ユニット取付台１１１に取り付けられているため、前面扉枠２００の上下方向に向かって延設される揚送ユニット４００に制約を受けることなく、遊技盤２０６を左右幅方向に向けて拡大することが出来る。すなわち、この遊技盤２０６の前面２０６ａに形成される遊技領域２０７の左右幅を、前面扉枠２００の左右幅を最大限に利用して、前面扉枠２００の左右幅内において極力拡大することが出来る。このように遊技領域２０７を拡大することで、図３に示される揚送ユニット４００（特に揚送路ケース４０２）の前面側にも、大型の表示器や多数の役物等を遊技領域２０７内に多数配置することが可能となり、多種多様な遊技を実現出来るため、遊技の興趣を効果的に向上させることが出来る。
【０１０８】
また、揚送ユニット４００へのパチンコ球の供給が、揚送ユニット４００の下部に設けられた球供給スプロケット４１３により発射装置５００の発射動作に関連して行われるとともに、揚送ユニット４００によりパチンコ球が互いに分離された状態で揚送されることで、発射装置５００にはパチンコ球が１個ずつ供給されることになるため、揚送ユニット４００（駆動モータ４１０）の駆動を停止したときに、揚送ユニット４００（揚送路ケース４０２）内に必要以上のパチンコ球が残存することを防止出来るので、揚送ユニットのメンテナンス時における作業性（球抜き作業等）が効果的に向上する。
【０１０９】
さらに、揚送ユニット４００は、前面２００ａに発射装置５００が設けられた前面扉枠２００に形成された揚送ユニット取付台１１１に取り付けられていることで、遊技盤２０６を前面扉枠２００に対して着脱させるときに前面扉枠２００から取り外したりする必要がないので、遊技盤２０６の交換等に影響を及ぼすことがない。
【０１１０】
また、揚送ユニット４００を例えば基枠２０１等に取り付ける場合、基枠２０１に対して前面扉枠２００を開閉させると、発射球誘導路１０２を発射装置５００から分離させる必要が生じるが、前面扉枠２００に取り付けられていることで、発射球誘導路１０２を発射装置５００から分離させたりする必要がないため、発射装置５００とのパチンコ球の連係構造が複雑化することが回避される。
【０１１１】
なお、本実施例においては、図３に示されるように、揚送ユニット４００全体が遊技盤２０６の後面２０６ｂ側に配置されているため、遊技盤２０６の上下幅をさらに下方向に向けて拡大することが可能であることが好ましいが、本発明にあっては、揚送ユニット４００の少なくとも一部が遊技盤２０６の後面２０６ｂ側に配置されていればよく、例えば、揚送路ケース４０２の一部を前後方向に屈曲させて、揚送路ケース４０２における遊技盤２０６と対向する対向部のみが後面２０６ｂ側に配置されるように、揚送ユニット４００の下部にある下部ユニット４０１等の一部が、遊技盤２０６の後面２０６ｂよりも前方位置に配置されていてもよい。
【０１１２】
また、図５（ｂ）に示されるように、ファール球流路２９５を構成するファール球流路部材２９５’は、ファール球流路部材２９５’における後部ファール球流路２９５ａを構成する部分が、前面扉枠２００の後面２００ｂ側に配置されている。詳しくは、後部ファール球流路２９５ａは、前面扉枠２００の後面２００ｂとの間に遊技盤２０６を介在させるために必要なスペースが形成されるように、前面扉枠２００の後面２００ｂから所定距離離れた後方位置に配置されているため、前面扉枠２００の開口２００ｃに遊技盤２０６が取り付けられた状態において、遊技盤２０６の後面２０６ｂ側に配置されることになる。
【０１１３】
このように、発射装置５００から打ち出されたが遊技領域２０７に到達しなかったファール球を、遊技領域２０７の下方に設けられる余剰球受皿２０４に返却すべく上下方向に延びるように延設されたファール球流路２９５は、前面扉枠２００に取り付けられる遊技盤２０６の後面２０６ｂ側に配置された状態で、前面扉枠２００に設けられた発射装置５００の外装ケース５１０に取り付けられているため、前面扉枠２００の上下方向に向かって延設されるファール球流路部材２９５’に制約を受けることなく、遊技盤２０６を左右幅方向に向けて拡大することが出来る。すなわち、この遊技盤２０６の前面２０６ａに形成される遊技領域２０７の左右幅を、前面扉枠２００の左右幅を最大限に利用して、前面扉枠２００の左右幅内において極力拡大することが出来る。
【０１１４】
さらに、ファール球流路部材２９５’は、前面扉枠２００の前面２００ａに設けられた発射装置５００に取り付けられていることで、遊技盤２０６を前面扉枠２００に対して着脱させるときに前面扉枠２００から取り外したりする必要がないので、遊技盤２０６の交換等に影響を及ぼすことがない。
【０１１５】
なお、本実施例においては、図５（ｂ）に示されるように、ファール球流路部材２９５’における後部ファール球流路２９５ａを構成する部分のみが遊技盤２０６の後面２０６ｂ側に配置されているが、ファール球流出口１０７を外装ケース５１０の後板に設けて、ファール球流路部材２９５’全体を遊技盤２０６の後面２０６ｂ側に配置するようにしてもよい。
【０１１６】
次に、待機球返却部４２０について説明する。
図９（ａ）は待機球返却時における待機球返却部のパチンコ球の流れを示す図であり、また、図９（ｂ）は通常時における待機球返却部のパチンコ球の流れを示す図である。
【０１１７】
待機球返却部４２０は、パチンコ球を供給する揚送球供給手段の移動通路４１４  の上流に位置する整列通路４１６の一部に設けられ、整列通路４１６、並びに前記打球貯留皿２０３  に停留するパチンコ球（待機球）を余剰球受皿２０４  に流下させるための抜き取り手段である。
【０１１８】
図１並びに図９に示すように、該待機球返却部４２０  に対応する位置となる打球貯留皿２０３  の下方左部位置に設けられた返却操作ボタン２９６  （図１参照）を押圧操作することで、パチンコ球（待機球）の返却（抜き取り）が実施される。
【０１１９】
待機球返却部４２０には、図９に示すように、待機球返却部４２０  の下部に形成された待機球返却樋２４２（図５参照）にパチンコ球を流入させるための開口４２１  が形成され、整列通路４１６  の流路下面にスライド自在に配置されたスライド板４２３  が、上記返却操作ボタン２９６の押圧操作により前後方向に移動する連結棒４２４  に固定されていて、該連結棒４２４  の移動に伴ってスライド板４２３  が前後方向にスライドするとともに、前記連結棒４２４  にはスプリング４２２  が前記連結棒４２４  を前方（外方）方向、つまりはスライド板４２３が開口４２１  を塞ぐ方向に付勢するように設けられている。
【０１２０】
通常にあっては、図９（ｂ）に示すように、上記スプリング４２２  にてスライド板４２３  が前方方向へ付勢されることにより、前記スライド板４２３  が開口４２１  を塞ぐことで、スライド板４２３  上をパチンコ球が通過して、整列通路４１６  を通じて揚送ユニット４００  にパチンコ球が供給される一方、前記返却操作ボタン２９６の操作時にあっては、図９（ａ）に示すように、該返却操作ボタン２９６の押圧操作により、スプリング４２２  の付勢に抗してスライド板４２３  が内方へスライドし、前記開口４２１  が整列通路４１６  の底面に露出することで、図５に示すように、パチンコ球が待機球返却樋２４２内に流入して、余剰球受皿２０４  に、パチンコ球（待機球）が返却されるようになっている。
【０１２１】
次に、この実施の形態により得られる主な効果をまとめて説明する。
（１）  遊技に使用するパチンコ球を貯留する打球貯留皿２０３と、該打球貯留皿２０３よりも上方に設けられ、パチンコ球を遊技盤２０６の遊技領域内に発射するための発射装置５００と、前記打球貯留皿２０３のパチンコ球を整列する整列通路４１６と、該整列通路上のパチンコ球を前記発射装置５００に揚送する揚送経路ユニット４０６とを備えたパチンコ遊技機２であって、前記発射装置５００が１個のパチンコ球を発射するたびに、前記整列通路４１６上のパチンコ球のうち１個のパチンコ球を後続球と分離した状態で前記揚送経路ユニット４０６に供給する球供給スプロケット４１３を備え、前記球供給スプロケット４１３により前記揚送経路ユニット４０６に供給されるパチンコ球が該揚送経路ユニット４０６に向けて移動する移動通路４１４の上面、側面、または下面の少なくとも一つの面にパチンコ球の直径よりも幅が狭い開口部（６０１ａ、６０１ｂ、６０１ｃ）を形成したものである。
【０１２２】
このような構成によれば、整列通路上のパチンコ球のうち１個のパチンコ球を後続球と分離した状態で揚送経路ユニット４０６にパチンコ球を供給するので、後続球の球圧の影響による球噛みに起因する球詰まりを防止することができる。また、移動通路の側面、下面にパチンコ球の直径よりも幅が狭い開口部（６０１ｂ、６０１ｃ）を形成した場合、移動通路４１４に異物が混入した場合でも、開口部から異物を自然落下させることができ、異物の詰まりに起因する球詰まりを防止することができる。さらに、移動通路の上面、側面に開口部（６０１ａ、６０１ｂ）を形成した場合、万一、開口部（６０１ｂ、６０１ｃ）から異物が自然落下しなかった場合や球噛みに起因して球詰まりが発生した場合でも、人為的に、たとえば操作ピンなどを使用して開口部（６０１ａ、６０１ｂ）から球噛みの回復や、異物を取り除くことなどを行なうことにより容易に復旧させることができる。
【０１２３】
（２）  前記揚送経路ユニット４０６はパチンコ球を揚送する揚送通路４０４を含み、該揚送通路の側面の少なくとも一部領域に揚送通路開口部６００を形成したものである。
【０１２４】
このような構成によれば、揚送通路４０４の側面の少なくとも一部領域に揚送通路開口部６００を形成しているので、万一、移動通路４１４で異物を排除することができず、揚送経路ユニット４０６に異物が混入した場合でも、揚送通路４０４の揚送通路開口部６００から異物を自然落下させることができ、異物の詰まりに起因する球詰まりを防止することができる。さらに、万一、揚送通路開口部６００から異物が自然落下しなかった場合でも、人為的に、たとえば操作ピンなどを使用して揚送通路開口部６００から球詰まりの回復や、異物を取り除くことなどを行なうことにより容易に復旧させることができる。
【０１２５】
（３）  前記整列通路の上面、側面、または下面の少なくとも一つの面に前記開口部（６０１ａ、６０１ｂ、６０１ｃ）を形成したものである。
【０１２６】
このような構成によれば、整列通路の側面、下面に開口部（６０１ｂ、６０１ｃ）を形成しているので、整列通路に異物が混入した場合でも、開口部（６０１ｂ、６０１ｃ）から異物を自然落下させることができ、異物の詰まりに起因する球詰まりを防止することができる。さらに、整列通路の上面、側面に開口部（６０１ａ、６０１ｂ）を設けることにより、万一、開口部（６０１ｂ、６０１ｃ）から異物が自然落下しなかった場合でも、人為的に、たとえば操作ピンなどを使用して開口部（６０１ａ、６０１ｂ）から球噛みの回復や、異物を取り除くことなどを行なうことにより容易に復旧させることができる。
【０１２７】
（４）  前記遊技盤の遊技領域を透視可能にその前面側を覆うガラス板を保持するガラス扉枠２０２をさらに備え、前記ガラス扉枠２０２を開いた状態で、前記開口部（６００、６０１ａ、６０１ｂ、６０１ｃ、６０２ａ、６０２ｂ、６０２ｃ）を指触可能な位置に配置したものである。
【０１２８】
このような構成によれば、前記ガラス扉枠２０２を開いた状態で、前記開口部（６００、６０１ａ、６０１ｂ、６０１ｃ、６０２ａ、６０２ｂ、６０２ｃ）を指触可能な位置に配置しているので、遊技場の店員などはガラス扉枠２０２を開くという単純な作業で、移動通路４１４、揚送通路４０４、整列通路４１６に混入した異物を操作ピンなどを使用して、容易に取り除くことができるとともに、球詰まりの回復も容易に行なうことができる。
【０１２９】
以上、本発明の実施形態を図面により前記実施例にて説明してきたが、本発明はこれら各実施例に限定されるものではなく、本発明の主旨を逸脱しない範囲における変更や追加があっても本発明に含まれることは言うまでもない。
【０１３０】
次に、以上説明した発明の実施形態についての変形例を以下に列挙する。
（１）  前述した実施形態においては、図６に示すように、揚送通路４０４の側面の揚送路ケースの一部の領域に、パチンコ球の直径よりも幅が狭い揚送通路開口部６００が間欠的に形成されているが、揚送路ケースの一部の領域に揚送通路開口部６００が形成されているものに限定されず、図１２に示すように、揚送路ケースの全域に設けてもよい。
【０１３１】
このように、揚送通路開口部６００を揚送路ケースの全域に設けることにより、揚送通路４０４に異物が混入した場合でも、揚送通路開口部６００から異物をさらに自然落下させやすくなる。また、万一、揚送通路開口部６００から異物が自然落下しなかった場合や球詰まりが発生した場合でも、人為的に、たとえば操作ピンなどを使用して開口部から球詰まりの回復や、異物を取り除くことなどを行なうことによりさらに、容易に復旧させることができる。
【０１３２】
（２）  前述した実施形態においては、図５（ｃ）に示すように、球供給スプロケット４１３に供給されたパチンコ球は、球供給スプロケット４１３の水平方向の回動により該移動通路４１４内部にパチンコ球が取り込まれ、移動通路４１４内部に取り込まれた１個のパチンコ球が、球供給スプロケット４１３の回動に伴って、回転方向に移動し、球供給スプロケット４１３が９０度回転した位置にてパチンコ球が揚送路を構成する揚送通路４０４内に供給されるものであるが、図１３に示すように、球供給スプロケット４１３の垂直方向の回動により該移動通路４１４内部にパチンコ球が取り込まれ、移動通路４１４内部に取り込まれた１個のパチンコ球が、球供給スプロケット４１３の回動に伴って、回転方向に移動し、球供給スプロケット４１３が９０度回転した位置にてパチンコ球が揚送路を構成する揚送通路４０４内に供給されるものでもよい。
この移動通路４１４の側面には、図１３に示すように、パチンコ球の直径よりも幅が狭い移動通路側面開口部６０１ｂが形成されている。この開口部６０１ｂを設けることによって、移動通路４１４に異物が混入した場合にも、上記開口部６０１ｂから異物が自然落下し、球詰まりが発生しにくくなるとともに、万一、上記開口部６０１ｂから異物が自然落下しなかった場合や球噛みに起因して球詰まりが発生した場合でも、人為的に、たとえば操作ピンなどを使用して上記開口部６０１ｂから球噛みを解消させたり、異物を取り除いたりすることがより容易になる。
【０１３３】
また、整列通路４１６には、上記実施形態同様、整列通路４１６の上面、側面、または下面の少なくとも一つの面に開口部（整列通路上面開口部６０２ａ、整列通路側面開口部６０２ｂ、整列通路下面開口部６０２ｃ）を設けられている。この開口部（６０２ａ、６０２ｂ、６０２ｃ）については上記実施形態と同一の構成で、同一の作用効果を奏するものであるので、ここでは説明を省略する。
【０１３４】
つぎに、図１４に示すように、整列通路４１６内のパチンコ球を揚送通路４０４内に供給するために、整列通路出口１００１に設けられた球導出板１００２と、球導出板１００２を移動させるための駆動手段である球導出駆動モータ１００３と、球導出駆動モータ１００３と球導出連結軸１００４を介し連結された支持手段である球導出板１００２を支持する支持板１００５と，球導出連結軸１００４の周りに設けられた球導出スプリング１００６とを設けたものであってもよい。この構成によると、パチンコ球を揚送通路４０４内に供給するときには、球導出駆動モータ１００３が球導出連結軸１００４を移動させることにより支持板１００５を移動させ、その支持板１００５の移動により球導出板１００２が移動し、整列通路出口１００１が開口し、整列通路４１６内のパチンコ球１個が揚送通路４０４内に供給される。また、整列通路４１６内のパチンコ球を揚送通路４１４内に供給しないときには、球導出スプリング１００６の反発力により支持板１００５が球導出板１００２を支持し整列通路出口１００１を閉鎖させる。
【０１３５】
なお、球導出板１００２による整列通路４１６内のパチンコ球の揚送通路４０４内への供給のタイミングは上記実施態様で説明した球供給スプロケット４１３と同様である。
【０１３６】
また、上記同様、この移動通路４１４の側面には、パチンコ球の直径よりも幅が狭い移動通路側面開口部６０１ｂが形成されている。この開口部６０１ｂを設けることによって、移動通路４１４に異物が混入した場合に、上記開口部６０１ｂから異物が自然落下し、球詰まりが発生しにくくなるとともに、万一、上記開口部６０１ｂから異物が自然落下しなかった場合や球噛みに起因して球詰まりが発生した場合でも、人為的に、たとえば操作ピンなどを使用して上記開口部６０１ｂから球噛みを解消させたり、異物を取り除いたりすることがより容易になる。
【０１３７】
また、整列通路４１６には、上記同様、整列通路４１６の上面、側面、または下面の少なくとも一つの面に開口部（整列通路上面開口部６０２ａ、整列通路側面開口部６０２ｂ、整列通路下面開口部６０２ｃ）を設けられている。この開口部（６０２ａ、６０２ｂ、６０２ｃ）については上記実施形態と同一の構成で、同一の作用効果を奏するものであるので、ここでは説明を省略する。
【０１３８】
（３）  前述した実施形態においては、図５（ｃ）に示すように、カバー体４５０の内部に、前記整列通路４１６を流下してきたパチンコ球を前記揚送路内部に供給するための円盤状の球供給スプロケット４１３を設けて説明したが、必ずとの円盤状の球供給スプロケット４１３である必要はなく、図１５に示すような半円盤状の球供給スプロケット４１３であってもよい。このように、半円盤状の球供給スプロケット４１３を用いることにより、球供給スプロケット４１３を軽量化でき、駆動モータ４１０の負荷を小さくすることができる。
【０１３９】
また、本変形例についても、図５（ｃ）に示すのと同様、開口部（６０２ａ、６０２ｂ、６０２ｃ）が設けられている。この開口部（６０２ａ、６０２ｂ、６０２ｃ）についても、本実施形態と同様、説明の関係上、整列通路４１６、移動通路４１４、揚送通路４０４に開口部（６００、６０１ａ、６０１ｂ、６０１ｃ、６０２ａ、６０２ｂ、６０２ｃ）のすべてを設けたものであるが、必ずしも上記すべての開口部（６００、６０１ａ、６０１ｂ、６０１ｃ、６０２ａ、６０２ｂ、６０２ｃ）を設ける必要がなく、たとえば整列通路４１６についていえば、整列通路上面開口部６０２ａのみを設けたり、整列通路上面開口部６０２ａと整列通路側面開口部６０２ｂ設けたりして、上記それぞれの開口部（６０２ａ、６０２ｂ、６０２ｃ）を適宜、選択して設けてもよい。移動通路４１４、揚送通路４０４についても適宜、選択して設けてもよい。
【０１４０】
なお、各開口部（６００、６０１ａ、６０１ｂ、６０１ｃ、６０２ａ、６０２ｂ、６０２ｃ）については、上記実施形態と同一の開口部（６００、６０１ａ、６０１ｂ、６０１ｃ、６０２ａ、６０２ｂ、６０２ｃ）であるため、ここでは説明を省略する。
【図面の簡単な説明】
【図１】本発明の一実施例としてのパチンコ遊技機およびこれに対応して設置されたカードユニットの正面図である。
【図２】本発明のパチンコ遊技機の構造を示す分解斜視図である。
【図３】図１のＢ−Ｂ断面図である。
【図４】図１のＡ−Ａ断面図である。
【図５】（ａ）は揚送装置及び発射装置を示す縦断面図であり、（ｂ）は同縦断面図のＡ−Ａ断面図であり、（ｃ）は同縦断面図のＢ−Ｂ断面図である。
【図６】揚送装置の下部構造を示す透視斜視図である。
【図７】発射揚送制御基板の構成を説明するためのブロック図である。
【図８】（ａ）〜（ｃ）は、発射装置における発射状況を示す図である。
【図９】（ａ）は待機球返却時における待機球返却部のパチンコ球の流れを示す図であり、（ｂ）は通常時における待機球返却部のパチンコ球の流れを示す図である。
【図１０】通常時のパチンコ球の流れを示す図である。
【図１１】ファール球の流れを示す図である。
【図１２】本発明の変形例としての揚送装置の下部構造を示す透視斜視図である。
【図１３】本発明の変形例としての揚送装置下部の縦断面である。
【図１４】本発明の変形例としての揚送装置下部の縦断面である。
【図１５】本発明の変形例としての図５（ａ）のＢ−Ｂ断面を示す図である。
【符号の説明】
２  パチンコ遊技機、２０２  ガラス扉枠、２０３  打球貯留皿、２０６  遊技盤、４００  揚送ユニット、４０４  揚送通路、４１３  球供給スプロケット、４１４  移動通路、４１６  整列通路、４５０  カバー体、５００  発射装置、６００  揚送通路開口部、６０１ａ  移動通路上面開口部、６０１ｂ  移動通路側面開口部、６０１ｃ  移動通路下面開口部、６０２ａ  整列通路上面開口部、６０２ｂ  整列通路側面開口部、６０２ｃ  整列通路下面開口部。
【図１】
2004298410.tif 000003
【図２】
2004298410.tif 000004
【図３】
2004298410.tif 000005
【図４】
2004298410.tif 000006
【図５】
2004298410.tif 000007
【図６】
2004298410.tif 000008
【図７】
2004298410.tif 000009
【図８】
2004298410.tif 000010
【図９】
2004298410.tif 000011
【図１０】
2004298410.tif 000012
【図１１】
2004298410.tif 000013
【図１２】
2004298410.tif 000014
【図１３】
2004298410.tif 000015
【図１４】
2004298410.tif 000016
【図１５】
2004298410.tif 000017